(57)【特許請求の範囲】
【請求項１】
無線通信網における過負荷を制御するための方法であって、
各々が基地局からの送信用の信号である複数の入力信号から、総和基地局送信信号を生成する総和基地局送信信号生成ステップ；
スケーリング係数に従って該総和基地局送信信号をスケーリングするスケーリングステップ；
スケーリングされた該総和基地局送信信号から、該総和基地局送信信号の送信負荷測定値を計算する送信負荷測定値計算ステップ；
スケーリングされた該送信負荷測定値と閾値との差の関数により、更新されたスケーリング係数を計算するスケーリング係数計算ステップ；及び
スケーリングされた該総和基地局送信信号を該基地局から送信する送信ステップ；
を備え、
前記スケーリング係数計算ステップは、更新されたスケーリング係数を、送信負荷測定値と閾値との差及び前の送信負荷測定期間の更新されたスケーリング係数の関数により計算することを特徴とする方法。
【請求項２】
前記スケーリング係数計算ステップが反復的に実行される請求項１記載の方法。
【請求項３】
前記スケーリングステップが、それぞれ、総和同相（Ｉ）チャネル送信信号および総和直角（Ｑ）チャネル送信信号を前記スケーリング係数に従ってスケーリングするものである請求項１記載の方法。
【請求項４】
前記スケーリング係数計算ステップは、前記更新されたスケーリング係数を、
ＳＭはＭ＝Ｍ＋１のときに前記更新されたスケーリング係数となるスケーリング係数を表し、ＳＭ−１は前の送信負荷測定期間からのスケーリング係数を表し、Ｅｔｈは閾値レベルを表し、ＥＭは現在の送信負荷測定期間に対する送信負荷測定値を表し、μは定数を表すものであるとして、
式：ＳＭ＝ｍｉｎ｛１，ＳＭ−１＋μ（Ｅｔｈ−ＥＭ）｝
により計算する請求項２記載の方法。
【請求項５】
前記送信負荷測定値計算ステップは、Ｉｋｏｕｔがスケーリングされた総和Ｉ−チャネル送信信号を表し、Ｑｋｏｕｔがスケーリングされた総和Ｑ−チャネル送信信号を表すものであるとして、送信負荷測定期間に渡って（Ｉｋｏｕｔ２＋Ｑｋｏｕｔ２）を計算し、計算された複数の（Ｉｋｏｕｔ２＋Ｑｋｏｕｔ２）を総和することで送信負荷測定値を得る請求項３記載の方法。
【請求項６】
無線通信網における過負荷を制御するためのシステムであって、
各々が基地局からの送信用の信号である複数の入力信号から、総和基地局送信信号を生成するためのベースバンドプロセッサ；
スケーリング係数に従って該総和基地局送信信号をスケーリングするためのスケーリング手段；
スケーリングされた該総和基地局送信信号から、該総和基地局送信信号の送信負荷測定値を得るための負荷測定手段；
該送信負荷測定値と閾値との差の関数から、更新されたスケーリング係数を計算するための計算手段；及び
スケーリングされた該総和基地局送信信号を該基地局から送信するためのアンテナ；
を備え、
前記計算手段は、更新されたスケーリング係数を、送信負荷測定値と閾値との差及び前の送信負荷測定期間の更新されたスケーリング係数の関数により計算することを特徴とするシステム。
【請求項７】
前記計算手段によって実行される計算が反復的に行われる請求項６記載のシステム。
【請求項８】
前記スケーリング手段が、それぞれ、総和同相（Ｉ）チャネル送信信号および総和直角（Ｑ）チャネル送信信号を前記スケーリング係数に従ってスケーリングするものである請求項６記載のシステム。
【請求項９】
前記計算手段が前記更新されたスケーリング係数を、
ＳＭはＭ＝Ｍ＋１のときに前記更新されたスケーリング係数となるスケーリング係数を表し、ＳＭ−１は前の送信負荷測定期間からのスケーリング係数を表し、Ｅｔｈは閾値レベルを表し、ＥＭは現在の送信負荷測定期間に対する送信負荷測定値を表し、μは定数を表すものであるとして、
式：ＳＭ＝ｍｉｎ｛１，ＳＭ−１＋μ（Ｅｔｈ−ＥＭ）｝
により計算する請求項７記載のシステム。
【請求項１０】
前記送信負荷測定手段が、Ｉｋｏｕｔがスケーリングされた総和Ｉ−チャネル送信信号を表し、Ｑｋｏｕｔがスケーリングされた総和Ｑ−チャネル送信信号を表すものであるとして、送信負荷測定期間に渡って（Ｉｋｏｕｔ２＋Ｑｋｏｕｔ２）を計算し、計算された複数の（Ｉｋｏｕｔ２＋Ｑｋｏｕｔ２）を総和することで送信負荷測定値を得る請求項８記載のシステム。
【発明の詳細な説明】
【０００１】
【発明の属する技術分野】
本発明は無線通信の分野に関する。
【０００２】
【従来の技術】
スペクラム拡散方式に基づく無線通信網、例えば、符号分割多元アクセス（ＣＤＭＡ）網においては、複数の移動体加入者端末（“移動機”）が、同一の無線周波数（ＲＦ）帯域幅を共有し、異なるWalsh符号あるいは他の直交関数を用いて分離される。異なるタイムスロットをユーザに割り当てることで単一のＲＦ帯域から複数のチャネルを生成する通信システム、つまり、時分割多元アクセス（ＴＤＭＡ）システムや、一つのＲＦ帯域を複数のサブ帯域に細分割する周波数分割多元アクセス（ＦＤＭＡ）システムとは対照的に、直交符号系列を用いて別個のチャネルを形成するＣＤＭＡシステムは、“ソフト（soft）”網能力を有する。換言すれば、ＣＤＭＡシステムでは、一度にある与えられたＲＦ帯域幅を共有することができる移動機の数は固定されておらず、代わりに、典型的には、同一および隣接セル／セクタの他のユーザからの干渉に起因するサービス品質の劣化によってのみ制限される。結果としてのＣＤＭＡシステムにおける網能力とサービス品質との間のトレードオフは、典型的には、逆方向リンク（移動機から基地局に向かうリンク）電力制御技術によって移動機の送信電力を十分な性能を維持するために要求される最小レベルに適応的に設定することで解決される。
【０００３】
【発明が解決しようとする課題】
ただし、逆方向リンク電力制御技術を使用して、同一チャネル干渉を低減し、容量を増加した場合でも、扱われている移動機の数が目標呼品質（これは、典型的には、ビット当たりのエネルギーＥbとある帯域幅内のノイズおよび干渉電力Ｎoの比、つまり、Ｅb／Ｎo比によって表される）を維持することができる最大数を超えた場合、例えば、一度に単一の基地局と通信することを試みる移動機の数が多くなった場合、過負荷が発生する。過負荷を回避するための従来の一つの技法においては、呼許可／阻止スキームを用いて、負荷レベルがある閾値を超えた場合、追加の加入者へのサービスを阻止するこで、十分な通信品質を保障する。ただし、このような呼許可スキームは、サービスアウテージ（停止期間）を不当に増加させる。
【０００４】
【課題を解決するための手段】
本発明は、無線通信網における基地局送信信号を高負荷レベルに応答してスケーリングすることで、扱われている移動機の所で測定されるハンドオフ制御値を調節し、これによって、移動機を隣接セル／セクタに“強制的に向けさせ（プッシュし）”、過負荷状態を回避するシステムおよび方法に関する。一つの実施例においては、基地局過負荷コントローラは、総和順方向リンク（基地局から移動機に向かうリンク）送信信号の振幅を、総和送信信号の規模と閾値レベルとの差の関数としてスケーリングする。（例えば、ＣＤＭＡシステムにおけるパイロット信号成分などの）制御信号成分を含む総和基地局送信信号をスケーリングすることで、網サービスエリア内の移動機の所で測定される、受信信号強度、ビット／フレームエラー率および信号対雑音比（Ｓ／Ｎ比）を含むハンドオフ制御値が調節される。移動機の位置および総和基地局送信信号がスケーリングされる程度に依存して、ある割合の扱われている移動機、特にセル／セクタ境界の所の移動機が隣接セル／セクタへのハンドオフをリクエストすることとなる。閾値レベルとの比較で負荷レベルが増加すると、スケーリングの程度も増加し、こうして、網サービスエリア内の移動機の所で測定されるハンドオフ制御値もより大きく調節され、より多数のハンドオフが起こり、結果として、複数のセル／セクタ間の負荷の均衡が図られることとなる。こうして、本発明は、もっぱら呼許可スキームに依存することなく、網容量を増加させ、過負荷を防止する。
【０００５】
一つの実施例においては、本発明は総和過負荷コントローラに関する。このコントローラは、総和同相（Ｉ）チャネルおよび直角（Ｑ）チャネル送信信号の規模を、負荷測定期間に渡ってサンプリングおよび総和することで負荷測定値を得、負荷測定値と閾値の関数としてスケーリング係数を出力する。総和負荷コントローラは、最初はスケーリング係数を１に設定し、負荷測定値が閾値以下にとどまる限りスケーリング係数を１に維持する。負荷測定値が最初に閾値を超えると、スケーリング係数が、前の負荷測定期間（つまり、１）から、負荷測定値と閾値との間の差の関数として計算されるオフセット値だけ低減される。一つの実施例においては、更新されたスケーリング係数の計算は、以下の式、すなわち：
ＳM＝ｍｉｎ｛１，ＳM-1＋μ（Ｅth−ＥM）      （１）
に従って計算される。ここで、ＳM-1は前の過負荷測定期間からのスケーリング係  数を表し、Ｅthは閾値レベルを表し、ＥMは現在の負荷測定期間に対する負荷測定 値を表し、μは定数を表す。定数μは、スケーリング 係数ＳMの変動を制限するために比較的小さな値、例えば０．０１に設定され、こうして、網の不安定性が回避される。
【０００６】
Ｉ−チャネルおよびＱ−チャネル乗算器は、ベースバンドプロセッサから受信される総和Ｉ−チャネルおよびＱ−チャネル送信信号に、総和過負荷コントローラから受信されるスケーリング係数ＳMを乗算する。結果としてのスケーリングされたＩ−チャネルおよびＱ−チャネル送信信号はＲＦプロセッサによって受信される。ＲＦプロセッサは、デジタル／アナログ変換および低域フィルタリングを遂行し、スケーリングされたＩ−チャネルおよびＱ−チャネル送信信号を別個のＲＦキャリア上に変調し、変調されたＩ−チャネルおよびＱ−チャネルキャリアを結合し、結合されたＲＦ送信信号を、送信のために基地局アンテナに出力する。
【０００７】
本発明の他の特徴および長所が以下の詳細な説明を図面を参照しながら読むことで一層明白になるものである。
【０００８】
【発明の実施の形態】
本発明は、無線通信網、例えばＣＤＭＡ網における基地局送信信号をスケーリングすることで、網エリア内の移動機の所で測定されるハンドオフ制御値を高負荷状態において調節し、これによって過負荷状態を防止するシステムおよび方法に関する。以下に、本発明による過負荷制御システムおよび方法の実施例について説明する。
【０００９】
図１は、本発明の実施例を実現するのに適する無線網構成１０を示すが。無線網１０は、複数の地理的サブエリア（“セル”）１２−１，．．．，１２−ｉから構成される。各セル１２−１，．．．，１２−ｉは、通信サービスをその中にいる移動機、例えばセル１２−１内にいる移動機２０−１，．．．，２０−ｊに提供するための対応する基地局１４−１，．．．１４−ｉを備える。各基地局１４−１，．．．１４−ｉは、（例えば、トランクラインを介して）移動体電話交換局（ＭＴＳＯ）１６に接続される。移動体電話交換局（ＭＴＳＯ）１６は、網内の通信を管理し、無線網と公衆電話網（ＰＳＴＮ）４０との間のインタフェースとして機能する。
【００１０】
当業者においては明らかなように、図１に示す無線網１０に関する様々な変形が可能である。例えば、各セル１２−１，．．．，１２−ｉを複数のセクタに分割することもできる。さらに、セル１２−１，．．．，１２−ｉは、六角形のエリアとして示されているが、異なるセルの形状も可能である。
【００１１】
図２図は、本発明の一つの実施例による基地局送信機１００の幾つかの要素の概要を示すブロック図である。図２に示すように、基地局送信機１００は、複数のベースバンド通信信号、入力1，．．．，入力Nを受信するベースバンドプロセッサ１１０を備える。これらベースバンド通信信号、入力1，．．．，入力Nは、移動体電話交換局（ＭＴＳＯ）１６から受信される、送信されるべき、音声／データトラヒック、並びに、制御情報、例えば、パイロット信号、ページング信号、および同期信号を含む。図２に示す実施例の場合は、ベースバンドプロセッサ１１０は、スペクトル効率の良い変調方式、例えば、直交位相シフトキーイング（ＱＰＳＫ）変調を用いて、別個の総和Ｉ−およびＱ−チャネル送信信号を出力する。ただし、本発明の原理は、別個のＩ−およびＱ−チャネル送信信号を形成しない基地局送信機にも同様に適用することに注意する。
【００１２】
Ｉ−チャネル乗算器１３０はベースバンドプロセッサ１１０から総和Ｉ−チャネル送信信号を受信し、受信された総和Ｉ−チャネル送信信号に、総和過負荷コントローラ１４０から受信されるスケーリング係数ＳMを乗算する。同様に、Ｑ−チャネル乗算器１３２はベースバンドプロセッサ１１０によって出力された総和Ｑ−チャネル送信信号を受信し、受信された総和Ｑ−チャネル送信信号に、総和過負荷コントローラ１４０から受信されるスケーリング係数ＳMを乗算する。
【００１３】
ＲＦプロセッサ１６０は、Ｉ−チャネル乗算器１３０およびＱ−チャネル乗算器１３２からのスケーリングされた総和Ｉ−チャネルおよび総和Ｑ−チャネル送信信号を受信する。後により詳細に説明するように、ＲＦプロセッサ１６０は、乗算器１３０および１３２から受信されるスケーリングされた総和Ｉ−チャネルおよびＱ−チャネル送信信号に関して周知の処理、例えば、デジタル／アナログ変換、ベースバンドフィルタリング、ＲＦキャリア信号変調などを遂行した後に、結合されたＲＦ信号をアンテナ１７０に出力する。総和過負荷コントローラ１４０もＩ−チャネルおよびＱュチャネルスケーリング乗算器１３０、１３２の出力を受信し、後に詳細に説明するやり方で更新されたスケーリング係数ＳMを計算する。総和過負荷コントローラ１４０は、例えば、アプリケーションスペシフィック集積回路（ＡＳＩＣ）あるいはコンピュータによって実行されるソフトウエアとして実現される。
【００１４】
図３は、本発明の実施例による基地局送信機構成１００内で用いるための一例としてのベースバンドプロセッサ１１０の幾つかの要素を示すブロック図である。図３に示すように、ベースバンドプロセッサ１１０は、それぞれ、入力通信信号、入力1，．．．，入力Nに対応する複数のベースバンド処理ユニット１１１−１，．．．，１１１−Ｎを備える。各ベースバンド処理ユニット１１１−１，．．．，１１１−Ｎは、Ｉ−チャネル信号ＩK1，．．．，ＩKNおよびＱ−チャネル信号ＱK1，．．．，ＱKNを出力する。ベースバンドプロセッサ１１０は、さらに、ベースバンド処理ユニット１１１−１，．．．，１１１−Ｎから受信される全てのＩ−チャネル信号ＩK1，．．．ＩKNからの総和Ｉ−チャネル送信信号を生成するＩ−チャネル総和ユニット１２８、および個々のベースバンド処理ユニット１１１−１，．．．，１１１−Ｎから受信されるＱ−チャネル信号ＱK1，．．．ＱKNからの総和Ｑ−チャネル送信信号を生成するＱ−チャネル総和ユニット１２９を備える。
【００１５】
当業者においては明らかなように、各ベースバンド処理ユニット１１１−１，．．．，１１１−Ｎは、例えば、U.S.Telecommunications Industry Association(TIA) to the International Telecommunications Union(ITU)によって提唱されるＣＤＭＡ−２０００標準において指定されるようなＣＤＭＡ通信に対する従来の要素を備える。図３には特定のベースバンド処理ユニット構成が示されるが、本発明の原理は特定のベースバンド処理構成に制限されるものではない。
【００１６】
再び図３の実施例に戻り、各ベースバンド処理ユニット１１１−１，．．．，１１１−Ｎは、チャネル符号器１１２−１，．．．，１１２−Ｎを備える。これは、例えば、畳み込み符号器から成り、対応する入力通信信号、入力1，．．．，入力Nから所定の長さの符号化されたブロックを生成し、その中に含まれる情報ビットをエラー修正符号にて保護する。第一の乗算器１１３−１，．．．，１１３−Ｎは、チャネル符号器１１２−１，．．．，１１２−Ｎによって出力される符号化されたブロックに、ＰＮ系列発生器１１４−１，．．．１１４−Ｎによって出力される、入力信号を受信することを意図される移動機に割り当てられた、指定されるＰＮ符号系列を乗算する。第二の乗算器１１５−１，．．．，１１５−Ｎは、第一の乗算器１１３−１，．．．，１１３−Ｎの出力に、例えば、Walsh系列発生器１１６−１，．．．，１１６−Ｎによって生成されるWalsh関数行列の列からの値を含むWalsh符号系列を乗算する。周知のように、通信信号を直交Walsh符号系列と結合させることで、入力データ信号が帯域幅スペクラムに渡って拡散され、同一チャネル干渉が防止される。
【００１７】
ＱＰＳＫ変調を達成するために、セパレータユニット１１７−１，．．．，１１７−Ｎによって第二の乗算器１１５−１，．．．，１１５−Ｎの出力が偶数と奇数ビットに分割される。周知のように、ＱＰＳＫ変調においては、２つの情報ビットが同時に直交キャリア上に伝送される。第三の乗算器１１８−１，．．．，１１８−Ｎは、セパレータユニット１１７−１，．．．１１７−Ｎからの偶数ビットに、Ｉ−チャネルＰＮ系列発生器１１９−１，．．．，１１９−Ｎによって出力されたＩ−チャネルＰＮ系列を乗算する。同様に、第四の乗算器１２０−１，．．．，１２０−Ｎは、セパレータユニ ット１１７−１，．．．１１７−Ｎからの奇数ビットに、Ｑ−チャネルＰＮ系列発生器１２１−１，．．．，１２１−Ｎによって出力されたＱ−チャネルＰＮ系列を乗算する。Ｉ−チャネルおよびＱ−チャネル総和ユニット１２８、１２９は、それぞれ、個々のベースバンド処理ユニット１１１−１，．．．，１１１−ＮからのＩ−チャネルおよびＱ−チャネル出力を受信し、総和Ｉ−チャネルおよびＱ−チャネル送信信号ＩkinおよびＱkinを生成する。
【００１８】
図４は、総和過負荷コントローラ１４０によって、スケーリング係数ＳMを生成および更新するために遂行される一例としての計算を示す流れ図である。図４に示すように、総和過負荷コントローラ１４０は、最初に、ステップ２０１において、スケーリング係数ＳMを１にセットし、ステップ２０２において、乗算器１３０、１３２から受信されるスケーリングされたＩ−チャネルおよびＱ−チャネル送信信号、ＩkoutおよびＱkoutをサンプリング速度ｔsにてサンプリングする。次に、総和過負荷コントローラ１４０は、ステップ２０４において、各サンプルに対して、（Ｉkout2＋Ｑkout2）を計算し、ステップ２０６において、（Ｉkout2＋Ｑkout2）を負荷測定期間Ｔ（例えば、２０ミリ秒）に渡って総和することで、負荷測定値（負荷尺度）ＥMを計算する。この負荷測定期間を通じて、ＩkoutおよびＱkoutの数千のサンプルが取られる。ステップ２０６の計算の結果として、スケーリングを制御するための適当な負荷測定値が得られるが、負荷測定値（負荷尺度）を得るための他の適当な技法を用いることもできる。例えば、基地局における総受信信号強度指標（ＲＳＳＩ）値あるいは基地局によって扱われているユーザの数などを負荷を表すために用いることもできる。
【００１９】
次に、ステップ２０８において、総和過負荷コントローラ１４０が以下の式、すなわち：
ＳM＝ｍｉｎ｛１，ＳM-1＋μ（Ｅth−ＥM）      （１）
を計算することによって、更新されたスケーリング係数ＳMを計算する。ここで、ＳM-1は前の過負荷測定期間からのスケーリング係数を表し、Ｅthは閾値レベルを表し、ＥMは現在の負荷測定期間に対する負荷測定値を表し、μは定数を表す。定数μは、スケーリング係数ＳMの変動を制限するために比較的小さな値、例えば０．０１に設定され、こうして網の不安定性が回避される。この動作が反復的に遂行され、スケーリング係数ＳMが次々と更新される。式（１）は、スケーリング係数ＳMを更新するための単に一例としての式であり、本発明の精神および範囲から逸脱することなく、様々なやり方で修正できることに注意する。
【００２０】
図５は、図２に示す基地局送信機１００内に用いられる一例としてのＲＦプロセッサ１６０の幾つかの要素を示すブロック図である。図５に示すように、ＲＦプロセッサ１６０は、それぞれ、ＩkoutおよびＱkoutをアナログ形式に変換するためのＩ−チャネルデジタル／アナログ変換器１６２およびＱ−チャネルデジタル／アナログ変換器１７０を備える。Ｉ−チャネルフィルタ１６４およびＱ−チャネルフィルタ１７２は、それぞれ、デジタル／アナログ変換器１６２、１７０から受信されるアナログＩ−チャネルおよびＱ−チャネル信号を低域フィルタリングする。第一の乗算器１６６は、フィルタ１６４によって出力されたＩ−チャネル信号にＩ−チャネルＲＦキャリア信号Ｃｏｓ（ωｔ）を乗算し、第二の乗算器１７４は、フィルタ１７２によっ て出力されたＱ−チャネル信号にＱ−チャネルＲＦキャリア信号Ｓｉｎ（ωｔ）を乗算する。結合器１７８は、第一と第二の乗算器１６６、１７６によって出力されたＲＦ信号を結合し、複合ＲＦ送信信号をアンテナ１７０に伝送のために出力する。
【００２１】
Ｉ−チャネルおよびＱ−チャネル送信信号をスケーリングすることにより、移動機の所で測定されるハンドオフ制御値、例えば、基地局からの受信信号強度、ビット／フレームエラー率、信号対雑音（Ｓ／Ｎ）比などが、高負荷状態下において、セル／セクタの境界が変更されるように調節される。セル／セクタ境界に対する移動機の位置およびスケーリングの程度に依存して、ある割合の移動機が隣接セル／セクタへのハンドオフをリクエストすることとなり、こうして、負荷がバランスされ、結果として、網容量が改善され、過負荷が回避される。さらに、比較的小さな定数μを用いることでスケーリング係数ＳMの変動が制限され、網の不安定性が回避される。
【００２２】
上では本発明が幾つかの実施例との関連でかなり詳細に説明されたが、当業者においては明らかなように、本発明の様々な修正およびアプリケーションを本発明の精神および範囲から逸脱することなく実現できるものである。例えば、図２に示す実施例においては、Ｑ−チャネルおよびＩ−チャネル送信信号が、これら信号がＲＦプロセッサ１００に到達する前にスケーリングされたが、別の方法として、スケーリングをＲＦ処理の一部として、例えば、デジタル／アナログ変換の後に遂行することもできる。
【図面の簡単な説明】
【図１】本発明の実施例を実現するのに適する一例としての無線通信網構成を示す図である。
【図２】本発明の実施例による基地局送信機の幾つかの要素を示す一般ブロック図である。
【図３】本発明の実施例による基地局送信機の一例としてのベースバンドプロセッサを示すブロック図であり、このプロセッサによって総和Ｉ−チャネルおよびＱ−チャネル送信信号が生成され、これが総和過負荷コントローラからのスケーリング係数によってスケーリングされるようなブロック図である。
【図４】本発明の実施例による総和過負荷コントローラによってスケーリング係数を計算するために遂行される一例としての動作を示す流れ図である。
【図５】本発明の実施例による基地局送信機の一例としてのＲＦプロセッサのブロック図である。
【符号の説明】
１０  無線網構成
１２  セル
１４  基地局
１６  移動体電話交換局（ＭＴＳＯ）
２０  移動機
４０  公衆電話網（ＰＳＴＮ）
１００  基地局送信機
１１０  ベースバンドプロセッサ
１１１  ベースバンド処理ユニット
１１２  チャネル符号器
１１３  第一の乗算器
１１４  ＰＮ系列発生器
１１５  第二の乗算器
１１６  Walsh系列発生器
１１７  セパレータユニット
１１８  第三の乗算器
１１９  Ｉ−チャネルＰＮ系列発生器
１２０  第四の乗算器
１２８  Ｉ−チャネル総和ユニット
１２９  Ｑ−チャネル総和ユニット
１３０  Ｉ−チャネル乗算器
１３２  Ｑ−チャネル乗算器
１４０  総和過負荷コントローラ
１６０  ＲＦプロセッサ
１７０  アンテナ
１６２  Ｉ−チャネルデジタル／アナログ変換器
１６４  Ｉ−チャネルフィルタ
１６６  第一の乗算器
１７０  Ｑ−チャネルデジタル／アナログ変換器
１７２  Ｑ−チャネルフィルタ
１７４  第二の乗算器
１７８  結合器
【図１】
0004527256.tif 000002
【図２】
0004527256.tif 000003
【図３】
0004527256.tif 000004
【図４】
0004527256.tif 000005
【図５】
0004527256.tif 000006